(57)【要約】  通信の分野に関し、ユーザが電子番組ガイド（ＥＰＧ）メニューの中から選択することによりメディアコンテンツ推奨情報を取得するときの、形式が特徴に乏しくユーザ体験の質が貧弱であるという問題を解決するために考案された本発明の実施形態によるメディアコンテンツを推奨する方法、装置およびシステムが開示される。本発明によって提供される技術的解決法は、メディアコンテンツ推奨トリガイベントを検出し、メディアコンテンツ推奨トリガイベントが検出されると、事前設定メディアコンテンツ推奨ポリシーに基づいてメディアコンテンツ推奨情報を生成し、ユーザ端末に生成されたメディアコンテンツ推奨情報を送信することを含む。本発明の実施形態によって提供されるメディアコンテンツを推奨する方法、装置およびシステムは、インターネット・プロトコル・テレビ（ＩＰＴＶ）ネットワークで使用することができる。
2011525757.tif 000002
【特許請求の範囲】
【請求項１】
メディアコンテンツを推奨する方法であって、
メディアコンテンツ推奨トリガイベントを検出し、
メディアコンテンツ推奨トリガイベントが検出されると、事前設定メディアコンテンツ推奨ポリシーに従ってメディアコンテンツ推奨情報を生成し、
ユーザ端末に前記生成されたメディアコンテンツ推奨情報を送信すること、
を含む方法。
【請求項２】
前記メディアコンテンツ推奨トリガイベントを検出することは、
前記ユーザ端末によって送られたメディアコンテンツ推奨情報要求を取得し、
前記メディアコンテンツ推奨情報要求に従ってメディアコンテンツ推奨トリガイベントを検出すること、
を含む請求項１に記載の方法。
【請求項３】
前記メディアコンテンツ推奨トリガイベントを検出することは、事前設定検出ポリシーに従ってメディアコンテンツ推奨トリガイベントを検出することを含む請求項１に記載の方法。
【請求項４】
前記検出ポリシーは前記ユーザ端末またはネットワークによって設定される、請求項３に記載の方法。
【請求項５】
前記検出ポリシーが前記ユーザ端末によって設定されるとき、前記検出ポリシーを設定する前記ステップは、
前記ユーザ端末によって送られたメディアコンテンツ推奨情報の利用を申し込むよう求める要求を受信し、
前記メディアコンテンツ推奨情報申込に従って前記検出ポリシーを設定すること、
を含む請求項４に記載の方法。
【請求項６】
前記メディアコンテンツ推奨情報要求またはメディアコンテンツ推奨申込は、
メディアコンテンツの種類、メディアコンテンツ記述特徴、メディアコンテンツ識別子、およびメディアコンテンツ偏差、
の各項目のうちの１以上を含む請求項２または５に記載の方法。
【請求項７】
前記メディアコンテンツ推奨トリガイベントは、
ユーザによって要求され、または利用を申し込まれたメディア・コンテンツ・トリガ・イベント、新番組オンラインイベント、現在再生中の番組、ビデオ場面、ビデオフレーム、またはビデオオブジェクトに関連するメディア・コンテンツ・トリガ・イベント、
の各イベントうちの１以上を含む請求項１に記載の方法。
【請求項８】
前記メディアコンテンツ推奨情報がメディアコンテンツ推奨オプション情報を含むときに、前記事前設定メディアコンテンツ推奨ポリシーに従って前記メディアコンテンツ推奨情報を生成した後で、
前記ユーザ端末に前記メディアコンテンツ推奨オプション情報を送信し、
前記メディアコンテンツ推奨オプション情報に従って前記ユーザ端末によって生成された選択情報を受け取ること、
をさらに含み、
前記ユーザ端末に前記生成されたメディアコンテンツ推奨情報を前記送信することは、
前記受け取られた選択情報に従って前記ユーザ端末に前記生成されたメディアコンテンツ推奨情報を送信すること、
を含む請求項１に記載の方法。
【請求項９】
前記メディアコンテンツ推奨ポリシーは、
一般的メディアコンテンツ推奨ポリシー、パーソナルメディアコンテンツ推奨ポリシー、および番組関連のメディアコンテンツ推奨ポリシー、
の各ポリシーのうちの１以上を含む請求項１に記載の方法。
【請求項１０】
前記メディアコンテンツ推奨情報は、
メディアコンテンツ識別子、メディアコンテンツ記述特徴、メディアコンテンツのアクセス制御情報、および前記メディアコンテンツの制御論理情報、
の各項目のうちの１以上を含む請求項１に記載の方法。
【請求項１１】
前記ユーザ端末に前記生成されたメディアコンテンツ推奨情報を送信することは、
前記ユーザ端末の状態情報を取得し、
前記ユーザ端末がオンラインであるときに、前記ユーザ端末に前記生成されたメディアコンテンツ推奨情報を送信するか、または
前記ユーザ端末がオフラインであるときに、前記ユーザ端末と関連付けられた事前設定ユーザ端末に前記生成されたメディアコンテンツ推奨情報を送信すること、
を含む請求項１に記載の方法。
【請求項１２】
前記ユーザ端末に前記生成されたメディアコンテンツ推奨情報を送信することは、
シグナリングパスまたはメディアパスを介して前記ユーザ端末に前記生成されたメディアコンテンツ推奨情報を送信すること、
を含む請求項１に記載の方法。
【請求項１３】
メディアコンテンツ推奨トリガイベントを検出する前に、
前記ユーザ端末のメディアコンテンツ推奨サービス状態情報を取得すること
をさらに含み、
前記メディアコンテンツ推奨トリガイベントを検出することは、
前記ユーザ端末の前記メディアコンテンツ推奨サービスがアクティブ化されているときに、メディアコンテンツ推奨トリガイベントを検出すること、
を含む請求項１に記載の方法。
【請求項１４】
メディアコンテンツを推奨する装置であって、
メディアコンテンツ推奨トリガイベントを検出するように構成されたトリガイベント検出ユニットと、
前記トリガイベント検出ユニットがメディアコンテンツ推奨トリガイベントを検出すると、事前設定メディアコンテンツ推奨ポリシーに従ってメディアコンテンツ推奨情報を生成するように構成されたメディアコンテンツ推奨情報生成ユニットと、
ユーザ端末に前記メディアコンテンツ推奨情報生成ユニットによって生成された前記メディアコンテンツ推奨情報を送信するように構成されたメディアコンテンツ推奨情報送信ユニットと、
を備える装置。
【請求項１５】
前記トリガイベント検出ユニットは、
前記ユーザ端末によって送信されたメディアコンテンツ推奨情報要求を取得するように構成されたメディアコンテンツ推奨情報要求取得ユニットと、
前記メディアコンテンツ推奨情報要求取得ユニットによって取得された前記メディアコンテンツ推奨情報要求に従ってメディアコンテンツ推奨トリガイベントを検出するように構成された検出ユニットと、
を備える請求項１４に記載の装置。
【請求項１６】
前記トリガイベント検出ユニットは、
検出ポリシーを記憶するように構成された検出ポリシー記憶ユニットと、
前記検出ポリシー記憶ユニットによって記憶された前記検出ポリシーに従ってメディアコンテンツ推奨トリガイベントを検出するように構成された検出ユニットと、
を備える請求項１４に記載の装置。
【請求項１７】
メディアコンテンツ推奨オプション情報送信ユニットと選択情報受信ユニットとをさらに備え、
前記メディアコンテンツ推奨オプション情報送信ユニットは、前記メディアコンテンツ推奨情報生成ユニットによって生成された前記メディアコンテンツ推奨情報が前記メディアコンテンツ推奨オプション情報を含むときに、前記ユーザ端末にメディアコンテンツ推奨オプション情報を送信するように構成されており、
前記選択情報受信ユニットは、前記メディアコンテンツ推奨オプション情報に従って前記ユーザ端末によって生成された選択情報を受信するように構成されており、
前記メディアコンテンツ推奨情報送信ユニットはさらに、前記選択情報受信ユニットによって受信された前記選択情報に従って前記ユーザ端末に前記メディアコンテンツ推奨情報生成ユニットによって生成された前記メディアコンテンツ推奨情報を送信するように構成されている、
請求項１４に記載の装置。
【請求項１８】
前記メディアコンテンツ推奨情報送信ユニットは、
前記ユーザ端末の状態情報を取得するように構成されたユーザ端末状態取得ユニットと、
前記ユーザ端末状態取得ユニットによって取得された前記ユーザ端末状態がオンラインであるときに、前記ユーザ端末に前記メディアコンテンツ推奨情報生成ユニットによって生成された前記メディアコンテンツ推奨情報を送信するか、または前記ユーザ端末状態取得ユニットによって取得された前記ユーザ端末状態がオフラインであるときに、前記ユーザ端末と関連付けられた事前設定ユーザ端末に前記メディアコンテンツ推奨情報生成ユニットによって生成された前記メディアコンテンツ推奨情報を送信するように構成された送信ユニットと、
を備える請求項１４に記載の装置。
【請求項１９】
メディアコンテンツ推奨サービス状態取得ユニットをさらに備え、
前記メディアコンテンツ推奨サービス状態取得ユニットは、前記ユーザ端末のメディアコンテンツ推奨サービス状態情報を取得するように構成されており、
前記トリガイベント検出ユニットはさらに、前記メディアコンテンツ推奨サービス状態取得ユニットによって取得された前記ユーザ端末の前記メディアコンテンツ推奨サービス状態がアクティブ状態であるときに、メディアコンテンツ推奨トリガイベントを検出するように構成されている、
請求項１４に記載の装置。
【請求項２０】
インターネット・プロトコル・テレビ（ＩＰＴＶ）アプリケーション・サーバ、独立のコンテンツ推奨サーバ、ＩＰＴＶメディア機能ネットワーク要素、またはＩＰマルチメディアサブシステム（ＩＭＳ）コアネットワーク要素に位置する請求項１４から１９のいずれか１項に記載の装置。
【請求項２１】
メディアコンテンツを推奨するシステムであって、
メディアコンテンツ推奨トリガイベントを検出すると、事前設定メディアコンテンツ推奨ポリシーに従ってメディアコンテンツ推奨情報を生成し、前記メディアコンテンツ推奨情報を送信するように構成されたメディアコンテンツ推奨装置と、
前記メディアコンテンツ推奨装置によって送られた前記メディアコンテンツ推奨情報を受信し、表示するように構成されたユーザ端末と、
を備えるシステム。
【請求項２２】
前記メディアコンテンツ推奨装置は、シグナリングパスまたはメディアパスを介して前記ユーザ端末に前記メディアコンテンツ推奨情報を送信する、請求項２１に記載のシステム。
【発明の詳細な説明】
【技術分野】
【０００１】
本出願は、２００８年６月２４日付けで中国特許庁に出願された、「Method, Apparatus and System for Recommending Media Content」という名称の中国特許出願第２００８１０１２６５２７．３号の優先権を主張するものであり、参照によりその全文が本明細書に組み込まれる。
本発明は通信技術に関し、詳細には、ユーザ端末にメディアコンテンツを推奨するインターネット・プロトコル・テレビ（ＩＰＴＶ：Ｉｎｔｅｒｎｅｔ  Ｐｒｏｔｏｃｏｌ  Ｔｅｌｅｖｉｓｉｏｎ）のための方法、装置、およびシステムに関する。
【背景技術】
【０００２】
ＩＰＴＶは、インターネットプロトコル（ＩＰ：Ｉｎｔｅｒｎｅｔ  Ｐｒｏｔｏｃｏｌ）ネットワークを介してビデオ、テキスト、画像およびデータを含むメディアストリームを送信し、サービス品質（ＱｏＳ：Ｑｕａｌｉｔｙ  ｏｆ  Ｓｅｒｖｉｃｅ）保証、体感品質（ＱｏＥ：Ｑｕａｌｉｔｙ  ｏｆ  Ｅｘｐｅｒｉｅｎｃｅ）保証、セキュリティ、対話性、および信頼性を提供する管理可能なマルチメディアサービスである。ユーザは、パーソナルコンピュータ（ＰＣ：Ｐｅｒｓｏｎａｌ  Ｃｏｍｐｕｔｅｒ）、セット・トップ・ボックス（ＳＴＢ：Ｓｅｔ  Ｔｏｐ  Ｂｏｘ）付きのテレビ装置、または移動端末上でＩＰＴＶサービスを使用することができる。ＩＰＴＶ技術は、今日のネットワークの急速な発展にうまく適応することができる。ＩＰＴＶはネットワークリソースを有効に利用してメディア提供者とメディア消費者の間の実質的な対話を実現することができる。
【０００３】
ＩＰＴＶは豊富な高度サービス（ｅｎｈａｎｃｅｄ  ｓｅｒｖｉｃｅ）を提供する。典型的な高度サービスがメディアコンテンツ推奨である。ユーザは、メディアコンテンツ推奨サービスの利用を申し込むことによりネットワークによって推奨されるメディアコンテンツを取得することができる。従来技術においては、ユーザは、メディアコンテンツ推奨情報を得るために、ネットワークによって提供される電子番組ガイド（ＥＰＧ：Ｅｌｅｃｔｒｏｎｉｃ  Ｐｒｏｇｒａｍ  Ｇｕｉｄｅ）の中から所望の推奨コンテンツを選択する。
【０００４】
本発明を実施するに際して本発明者は、従来技術においては少なくとも、ユーザがＥＰＧメニューを選択することによってしかメディアコンテンツ推奨情報を得ることができず、また推奨メディアコンテンツを取得する方法がただ１つであることは、ＩＰＴＶシステムの柔軟なサービス推奨の要件を満足しない、という問題があることを見いだした。
【発明の概要】
【発明が解決しようとする課題】
【０００５】
本発明の各実施形態は、様々な形式のメディアコンテンツ推奨を提供するためのメディアコンテンツを推奨する方法、装置、およびシステムを提供する。
【課題を解決するための手段】
【０００６】
このために、以下の技術的解決を提供する。
【０００７】
メディアコンテンツを推奨する方法は、メディアコンテンツ推奨トリガイベントを検出し、メディアコンテンツ推奨トリガイベントが検出されると事前設定メディアコンテンツ推奨ポリシーに従ってメディアコンテンツ推奨情報を生成し、ユーザ端末に生成されたメディアコンテンツ推奨情報を送信すること、を含む。
【０００８】
メディアコンテンツを推奨する装置は、
メディアコンテンツ推奨トリガイベントを検出するように構成されたトリガイベント検出ユニットと、
トリガイベント検出ユニットがメディアコンテンツ推奨トリガイベントを検出すると、事前設定メディアコンテンツ推奨ポリシーに従ってメディアコンテンツ推奨情報を生成するように構成されたメディアコンテンツ推奨情報生成ユニットと、
ユーザ端末にメディアコンテンツ推奨情報生成ユニットによって生成されたメディアコンテンツ推奨情報を送信するように構成されたメディアコンテンツ推奨情報送信ユニットと、
を含む。
【０００９】
メディアコンテンツを推奨するシステムは、
メディアコンテンツ推奨トリガイベントを検出すると、事前設定メディアコンテンツ推奨ポリシーに従ってメディアコンテンツ推奨情報を生成し、メディアコンテンツ推奨情報を送信するように構成されたメディアコンテンツ推奨装置と、
メディアコンテンツ推奨装置によって送られたメディアコンテンツ推奨情報を受信し、表示するように構成されたユーザ端末と、
を含む。
【発明の効果】
【００１０】
メディアコンテンツ推奨トリガイベントが検出されると、本発明の各実施形態において提供されるメディアコンテンツを推奨する方法、装置およびシステムは、メディアコンテンツ推奨情報の生成が多様なものになるように多数の形式を含む事前設定メディアコンテンツ推奨ポリシーに従ってメディアコンテンツ推奨情報を生成することができる。これによって、メディアコンテンツ推奨情報が、サービス選択情報だけに従ってユーザに送られ、このためにメディアコンテンツ推奨の形式がただ１つだけになり、したがってＩＰＴＶの柔軟なサービス推奨の要件を満足することができないという従来技術の問題が解決される。本発明の各実施形態において提供されるメディアコンテンツを推奨する方法、装置およびシステムは、ＩＰＴＶの柔軟なメディアコンテンツ推奨サービスの要件を満足するようにより多くの形式でメディアコンテンツを推奨する。
【図面の簡単な説明】
【００１１】
【図１】本発明の一実施形態で提供されるメディアコンテンツを推奨する方法を示す流れ図である。
【図２】本発明の一実施形態で提供されるメディアコンテンツを推奨する方法を示す別の流れ図である。
【図３】本発明の一実施形態で提供されるメディアコンテンツ推奨装置を示す概略図である。
【図４】本発明の一実施形態で提供されるメディアコンテンツ推奨装置を示す別の概略図である。
【図５】本発明の一実施形態で提供されるメディアコンテンツ推奨システムを示す概略図である。
【図６】本発明の第１の実施形態で提供されるメディアコンテンツを推奨する方法、装置、およびシステムのシーケンス図である。
【図７】本発明の第２の実施形態で提供されるメディアコンテンツを推奨する方法、装置、およびシステムのシーケンス図である。
【図８】本発明の第３の実施形態で提供されるメディアコンテンツを推奨する方法、装置、およびシステムのシーケンス図である。
【図９】本発明の第４の実施形態においてメディアコンテンツを推奨するために提供される方法、装置、およびシステムのシーケンス線図である。
【図１０】本発明の第５の実施形態で提供されるメディアコンテンツを推奨する方法、装置、およびシステムのシーケンス図である。
【図１１】本発明の第６の実施形態で提供されるメディアコンテンツを推奨する方法、装置、およびシステムのシーケンス図である。
【図１２】本発明の第７の実施形態においてメディアコンテンツを推奨するために提供される方法、装置、およびシステムのシーケンス図である。
【図１３】本発明の第８の実施形態で提供されるメディアコンテンツを推奨する方法、装置、およびシステムのシーケンス図である。
【図１４】本発明の第９の実施形態で提供されるメディアコンテンツを推奨する方法、装置、およびシステムのシーケンス図である。
【発明を実施するための形態】
【００１２】
先行技術におけるＥＰＧメニューの選択によって利用可能なメディアコンテンツ推奨が単一の形式である問題ことを解決するために、本発明の各実施形態はメディアコンテンツを推奨する方法、装置、およびシステムを提供する。
【００１３】
メディアコンテンツはＩＰＴＶメディアコンテンツであってよい。実際には、メディアコンテンツは、本発明の実施形態では説明されない別の種類のメディアコンテンツであってもよい。
【００１４】
図１に示すように、本発明の一実施形態で提供されるメディアコンテンツを推奨する方法は以下の各ステップを含む。
【００１５】
ステップ１０１：メディアコンテンツ推奨トリガイベントを検出する。
【００１６】
ステップ１０１ではすべての可能なメディアコンテンツ推奨トリガイベントを検出することができる。この実施形態では、すべての可能なメディアコンテンツ推奨トリガイベントには、ユーザによって要求されたか、または利用を申し込まれたメディア・コンテンツ・トリガ・イベント、新番組オンラインイベント、および現在再生中の番組、ビデオ場面、ビデオフレーム、またはビデオオブジェクトに関連するメディア・コンテンツ・トリガ・イベントが含まれる。しかし実際には、これらのトリガイベントは前述のイベントだけに限定されるものではない。
【００１７】
また、ステップ１０１では、ある条件に従ってメディアコンテンツ推奨トリガイベントを検出することもできる。この場合、ステップ１０１では、以下の２つの方法を使用してメディアコンテンツ推奨トリガイベントを検出することができる。
【００１８】
１つの方法は、ユーザ端末からのメディアコンテンツ推奨情報要求を取得し、メディアコンテンツ推奨情報要求に従ってメディアコンテンツ推奨トリガイベントを検出すること、を含む。
【００１９】
本発明の実施形態では、メディアコンテンツ推奨情報要求は、メディアコンテンツの種類、メディアコンテンツ記述特徴、メディアコンテンツ識別子、およびメディアコンテンツ偏差のうちの１以上の項目を含むことができる。ＩＰマルチメディアサブシステム（ＩＭＳ：ＩＰ  Ｍｕｌｔｉｍｅｄｉａ  Ｓｕｂｓｙｓｔｅｍ）ベースのＩＰＴＶシステムにおいて、メディアコンテンツ推奨情報要求は、セッション開始プロトコルメッセージ（ＳＩＰ  ＭＥＳＳＡＧＥもしくはＳＩＰ  ＩＮＦＯ：Ｓｅｓｓｉｏｎ  Ｉｎｉｔｉａｔｉｏｎ  Ｐｒｏｔｏｃｏｌ  ｍｅｓｓａｇｅ）、ハイパーテキスト転送プロトコル（ＨＴＴＰ：Ｈｙｐｅｒｔｅｘｔ  Ｔｒａｎｓｆｅｒ  Ｐｒｏｔｏｃｏｌ）、または簡易オブジェクトアクセスプロトコル（ＳＯＡＰ：Ｓｉｍｐｌｅ  Ｏｂｊｅｃｔ  Ａｃｃｅｓｓ  Ｐｒｏｔｏｃｏｌ）によって送信することができる。
【００２０】
他方の方法は、事前設定検出ポリシーに従ってメディアコンテンツ推奨トリガイベントを検出することを含む。
【００２１】
この実施形態では、ユーザ端末またはネットワークが検出ポリシーを設定することができる。ユーザ端末が検出ポリシーを設定するときには、その設定手順は、メディアコンテンツの種類、メディアコンテンツ記述特徴、メディアコンテンツ識別子、およびメディアコンテンツ偏差のうちの１以上を含み、ＳＩＰ  ＭＥＳＳＡＧＥ、ＳＩＰ  ＩＮＦＯ、ＨＴＴＰまたはＳＯＡＰによって送信され得るメディアコンテンツ推奨情報申込（ＩＰＴＶシステムがＩＭＳベースのＩＰＴＶシステムであるときにユーザ端末のＩＰＴＶ接続手順またはセッション手順の間の暗黙的申込によって実施され得る）をユーザ端末から受け取り、ユーザ端末の加入が正常に行われたときにメディアコンテンツ推奨情報申込に従って検出ポリシーを設定することを含む。
【００２２】
ステップ１０２：メディアコンテンツ推奨トリガイベントが検出されると、事前設定メディアコンテンツ推奨ポリシーに従ってメディアコンテンツ推奨情報を生成する。
【００２３】
本実施形態では、事前設定メディアコンテンツ推奨ポリシーは、一般的メディアコンテンツ推奨ポリシー、パーソナルメディアコンテンツ推奨ポリシー、または番組関連のメディアコンテンツ推奨ポリシーとすることができる。一般的メディアコンテンツ推奨ポリシーは、新番組オンラインイベントといったメディアコンテンツ推奨トリガイベントが検出されると、メディアコンテンツ推奨情報が生成され、すべてのユーザ端末に送られることを意味する。パーソナルメディアコンテンツ推奨ポリシーは、ユーザのパーソナル設定と一致するメディアコンテンツ推奨トリガイベントが検出されると、メディアコンテンツ推奨情報が生成され、適切なユーザ端末に送られることを意味する。例えば、アニメーション番組がネットワーク上で提供されていることが検出されると、パーソナルメディアコンテンツ推奨ポリシーに従ってアニメーション番組のメディアコンテンツ推奨情報が生成され、アニメーション番組を好むユーザに送られる。番組関連のメディアコンテンツ推奨ポリシーは、ユーザに再生されている生放送のテレビ（ＬＴＶ：Ｌｉｖｅ  ＴＶ）またはコンテンツ・オン・デマンド（ＣＯＤ：Ｃｏｎｔｅｎｔ  Ｏｎ  Ｄｅｍａｎｄ）番組に関連するメディアコンテンツ推奨トリガイベントが検出されたときに生成される。この実施形態では、ユーザに再生されているＬＴＶまたはＣＯＤ番組に関連するメディアコンテンツ推奨トリガイベントには、ユーザに再生されている番組、または番組内のビデオ場面、ビデオショット、ビデオフレームもしくはビデオオブジェクトに関連するメディアコンテンツ推奨トリガイベントが含まれ得る。
【００２４】
本実施形態では、メディアコンテンツ推奨情報は、メディアコンテンツ識別子、メディアコンテンツ記述特徴、メディアコンテンツのアクセス制御情報、または（ユーザ端末上のメディアコンテンツ推奨情報の論理制御の有無といった）メディアコンテンツの制御論理情報を含むことができる。実際には、メディアコンテンツ推奨情報は、本明細書に示されていない他の情報を含むことができる。
【００２５】
ステップ１０３：ユーザ端末に生成されたメディアコンテンツ推奨情報を送信する。
【００２６】
具体的にはこのステップは、ユーザ端末の状態情報を取得し、ユーザ端末がオンラインであるときにユーザ端末に生成されたメディアコンテンツ推奨情報を送信するか、またはユーザ端末がオフラインであるときにユーザ端末と関連付けられた所定のユーザ端末に生成されたメディアコンテンツ推奨情報を送ることを含む。
【００２７】
ステップ１０３では、２つの方法でユーザ端末にメディアコンテンツ推奨情報を送ることができる。一つの方法はシグナリングパスによるものである。例えば、本発明の実施形態において提供されるメディアコンテンツを推奨する方法がＩＭＳベースのＩＰＴＶシステムに適用されるときには、ＳＩＰ  Ｇｍインターフェースを介してメディアコンテンツ推奨情報を送信することができる。具体的には、メディアコンテンツ推奨情報は、ＳＩＰ  ＭＥＳＳＡＧＥまたはＳＩＰ  ＩＮＦＯによって送信することができる。あるいはメディアコンテンツ推奨情報は、ＨＴＴＰ  Ｕｔインターフェース、ＳＯＡＰ、リアルタイム・ストリーミング・プロトコル（ＲＴＳＰ：Ｒｅａｌ−Ｔｉｍｅ  Ｓｔｒｅａｍｉｎｇ  Ｐｒｏｔｏｃｏｌ）、または専用プロトコルを介して送信することもできる。他方の方法はメディアパスによるものである。例えばメディアコンテンツ推奨情報は、独立のリアルタイム・トランスポート・プロトコル（ＲＴＰ：Ｒｅａｌ  Ｔｉｍｅ  Ｔｒａｎｓｐｏｒｔ  Ｐｒｏｔｏｃｏｌ）によって送信することもでき、ＭＰＥＧ２トランスポートストリーム（ＭＰＥＧ２−ＴＳ：Ｍｏｖｉｎｇ  Ｐｉｃｔｕｒｅ  Ｅｘｐｅｒｔ  Ｇｒｏｕｐ  Ｔｒａｎｓｐｏｒｔ  Ｓｔｒｅａｍ）としてカプセル化することもできる。
【００２８】
ステップ１０２で生成されたメディアコンテンツ推奨情報が、図２に示すように、ユーザが必要なメディアコンテンツ推奨情報を取得するのに役立つメディアコンテンツ推奨オプション情報を含む場合、本発明の実施形態で提供されるメディアコンテンツを推奨する方法は、ステップ１０２の後、ステップ１０３の前にさらに以下のステップを含む。
【００２９】
ステップ１０４：ユーザ端末にメディアコンテンツ推奨オプション情報を送信する。本実施形態では、メディアコンテンツ推奨オプション情報はメディアコンテンツの推奨の手がかりまたは推奨キーワードである。ユーザは、メディアコンテンツ推奨オプション情報に従ってユーザが好み、または必要とするメディアコンテンツ推奨情報を選択することができる。
【００３０】
ステップ１０５：メディアコンテンツ推奨オプション情報に従ってユーザ端末によって生成された選択情報を受信する。
【００３１】
次いで、ステップ１０３では、受信された選択情報に従ってユーザ端末に生成されたメディアコンテンツ推奨情報を送信することができる。
【００３２】
さらに、本発明の実施形態で提供されるメディアコンテンツを推奨する方法は、ステップ１０１の前にユーザ端末のメディアコンテンツ推奨サービス状態情報を取得するステップも含むことができる。次いで、ステップ１０１では、ユーザ端末のメディアコンテンツ推奨サービス状態情報に従ってユーザ端末がメディアコンテンツ推奨サービスを活動（アクティブ）化しているかどうか判定し、ユーザ端末のメディアコンテンツ推奨サービスがアクティブ化されている場合、メディアコンテンツ推奨トリガイベントを検出することができる。
【００３３】
メディアコンテンツ推奨トリガイベントが検出されると、本発明の実施形態で提供されるメディアコンテンツを推奨する方法は、メディアコンテンツ推奨情報の生成が多様なものになるように多数の形式を含む事前設定メディアコンテンツ推奨ポリシーに従ってメディアコンテンツ推奨情報を生成する。これによって、メディアコンテンツ推奨情報がユーザの選択だけに従ってユーザに送られ、このためにメディアコンテンツ推奨の形式がただ１つだけになり、したがってＩＰＴＶの柔軟なサービス推奨の要件を満足することができないという従来技術の問題が解決される。従来技術では、ユーザは、ＥＰＧメニューの選択によってネットワークから推奨メディアコンテンツを取得しなければならず、これはユーザ操作を複雑にする。しかし、本発明の実施形態では、メディアコンテンツ推奨情報は事前設定メディアコンテンツ推奨ポリシーに従って生成される。したがって、メディアコンテンツ推奨の形式はより多様化され、ユーザは推奨メディアコンテンツをより簡単に取得することができる。したがって本発明の実施形態で提供される方法は、ＩＰＴＶの柔軟なサービス推奨の要件を満足する。
【００３４】
図３に示すように、本発明の一実施形態で提供されるメディアコンテンツ推奨装置は、トリガイベント検出ユニット３０１と、メディアコンテンツ推奨情報生成ユニット３０２と、メディアコンテンツ推奨情報送信ユニット３０３とを含む。
【００３５】
トリガイベント検出ユニット３０１は、メディアコンテンツ推奨トリガイベントを検出するように構成されている。
【００３６】
この実施形態では、メディアコンテンツ推奨トリガイベントは、ユーザによって要求されたか、または利用を申し込まれたメディア・コンテンツ・トリガ・イベント、新番組オンラインイベント、または現在再生中の番組、ビデオ場面、ビデオフレーム、もしくはビデオオブジェクトに関連するメディア・コンテンツ・トリガ・イベントのうちの１以上の種類を含めることができる。
【００３７】
メディアコンテンツ推奨情報生成ユニット３０２は、トリガイベント検出ユニット３０１がメディアコンテンツ推奨トリガイベントを検出すると、事前設定メディアコンテンツ推奨ポリシーに従ってメディアコンテンツ推奨情報を生成するように構成されている。
【００３８】
事前設定メディアコンテンツ推奨ポリシーは、一般的メディアコンテンツ推奨ポリシー、パーソナル化されたメディアコンテンツ推奨ポリシー、または番組関連のメディアコンテンツ推奨ポリシーとすることができる。この詳細は図１のステップ１０２に示されており、よってここでは説明しない。
【００３９】
メディアコンテンツ推奨情報送信ユニット３０３は、ユーザ端末にメディアコンテンツ推奨情報生成ユニット３０２によって生成されたメディアコンテンツ推奨情報を送るように構成されている。
【００４０】
さらに図４に示すように、トリガイベント検出ユニット３０１は、
ユーザ端末によって送られたメディアコンテンツ推奨情報要求を取得するように構成されたメディアコンテンツ推奨情報要求取得ユニット３０１１と、
メディアコンテンツ推奨情報要求取得ユニット３０１１によって取得されたメディアコンテンツ推奨情報要求に従ってメディアコンテンツ推奨トリガイベントを検出するように構成された検出ユニット３０１２と、
を含むことができる。
【００４１】
さらに図４に示すように、トリガイベント検出ユニット３０１は、
検出ポリシーを記憶するように構成された検出ポリシー記憶ユニット３０１３を含むことができる。
【００４２】
検出ユニット３０１２はさらに、検出ポリシー記憶ユニット３０１３によって記憶された検出ポリシーに従ってメディアコンテンツ推奨トリガイベントを検出するように構成されている。
【００４３】
さらに図４に示すように、本発明の実施形態で提供されるメディアコンテンツ推奨装置は、
メディアコンテンツ推奨情報生成ユニット３０２によって生成されたメディアコンテンツ推奨情報がメディアコンテンツ推奨オプション情報を含むときに、ユーザ端末にメディアコンテンツ推奨オプション情報を送信するように構成されたメディアコンテンツ推奨オプション情報送信ユニット３０４と、
メディアコンテンツ推奨オプション情報に従ってユーザ端末によって生成された選択情報を受信するように構成された選択情報受信ユニット３０５と、
を含むことができる。
【００４４】
メディアコンテンツ推奨情報送信ユニット３０はさらに、選択情報受信ユニット３０５によって受信された選択情報に従ってユーザ端末にメディアコンテンツ推奨情報生成ユニット３０２によって生成されたメディアコンテンツ推奨情報を送信するように構成されている。
【００４５】
さらに図４に示すように、メディアコンテンツ推奨情報送信ユニット３０３は、
ユーザ端末の状態情報を取得するように構成されたユーザ端末状態取得ユニット３０３１と、
ユーザ端末状態取得ユニットによって取得されたユーザ端末状態がオンラインであるときに、ユーザ端末にメディアコンテンツ推奨情報生成ユニットによって生成されたメディアコンテンツ推奨情報を送信するか、またはユーザ端末状態取得ユニット３０３１によって取得されたユーザ端末状態がオフラインであるときに、ユーザ端末と関連付けられた所定のユーザ端末にメディアコンテンツ推奨情報生成ユニットによって生成されたメディアコンテンツ推奨情報を送信するように構成された送信ユニット３０３２と、
を含むことができる。
【００４６】
さらに図４に示すように、本発明の実施形態で提供されるメディアコンテンツ推奨装置は、
ユーザ端末のメディアコンテンツ推奨サービス状態を取得するように構成されたメディアコンテンツ推奨サービス状態取得ユニット３０６を含むことができる。
トリガイベント検出ユニット３０１はさらに、メディアコンテンツ推奨サービス状態取得ユニット３０６によって取得されたユーザ端末のメディアコンテンツ推奨サービスの状態が活動化（アクティブ）状態であるときに、メディアコンテンツ推奨トリガイベントを検出するように構成されている。
【００４７】
本発明の実施形態で提供されるメディアコンテンツ推奨装置は、ＩＰＴＶアプリケーション・サーバ（ＩＰＴＶ  ＡＳ：ＩＰＴＶ  ａｐｐｌｉｃａｔｉｏｎ  ｓｅｒｖｅｒ）、独立の推奨サーバ、ＩＰＴＶメディア機能ネットワーク要素、またはＩＭＳコアネットワーク要素に配置することができる。
【００４８】
メディアコンテンツ推奨トリガイベントが検出されると、本発明の実施形態で提供されるメディアコンテンツ推奨装置は、メディアコンテンツ推奨情報の生成が多様なものになるように多数の形式を含む事前設定メディアコンテンツ推奨ポリシーに従ってメディアコンテンツ推奨情報を生成する。これによって、メディアコンテンツ推奨情報がサービス選択情報だけに従ってユーザに送られ、このためにメディアコンテンツ推奨の形式がただ１つだけになり、したがってＩＰＴＶの柔軟なサービス推奨の要件を満足することができないという従来技術の問題が解決される。本発明の実施形態で提供されるメディアコンテンツ推奨装置は、ＩＰＴＶの柔軟なメディアコンテンツ推奨サービスの要件を満足するようにより多くの形式でメディアコンテンツを推奨する。
【００４９】
図５に示すように、本発明の一実施形態で提供されるメディアコンテンツを推奨するシステムは、
メディアコンテンツ推奨トリガイベントが検出されると、事前設定メディアコンテンツ推奨ポリシーに従ってメディアコンテンツ推奨情報を生成し、そのメディアコンテンツ推奨情報を送信するように構成されたメディアコンテンツ推奨装置５０１と、
メディアコンテンツ推奨装置５０１によって送信されたメディアコンテンツ推奨情報を受信し、表示するように構成されたユーザ端末５０２と、
を含む。
【００５０】
さらに、メディアコンテンツ推奨装置５０１は、シグナリングパスまたはメディアパスを介してユーザ端末５０２にメディアコンテンツ推奨情報を送信する。
【００５１】
メディアコンテンツ推奨トリガイベントが検出されると、本発明の実施形態で提供されるメディアコンテンツを推奨するシステムは、メディアコンテンツ推奨情報の生成が多様なものになるように多数の形式を含む事前設定メディアコンテンツ推奨ポリシーに従ってメディアコンテンツ推奨情報を生成する。これによって、メディアコンテンツ推奨情報がサービス選択情報だけに従ってユーザに送られ、このためにメディアコンテンツ推奨の形式がただ１つだけになり、したがってＩＰＴＶの柔軟なサービス推奨の要件を満足することができないという従来技術の問題が解決される。本発明の実施形態で提供されるメディアコンテンツを推奨するシステムは、ＩＰＴＶの柔軟なメディアコンテンツ推奨サービスの要件を満足するようにより多くの形式でメディアコンテンツを推奨する。
【００５２】
本発明の技術的解決をより適切に説明するために、本発明のいくつかの例示的実施形態を示す。以下の実施形態において示すユーザ端末はすべてＩＰＴＶ端末である。
【００５３】
第１の実施形態では、ＩＰＴＶ端末がメディアコンテンツ推奨サービスに加入している。メディアコンテンツ推奨装置は、ネットワークによって設定された検出ポリシーに従ってメディアコンテンツ推奨トリガイベントを検出し、メディアコンテンツ推奨情報を生成し、ＩＰＴＶ端末にメディアコンテンツ推奨情報を送信する。ＩＰＴＶ端末は、コンテンツ通知を受信し、そのコンテンツ推奨情報を表示する。メディアコンテンツ推奨装置はＩＰＴＶ  ＡＳ内に位置する。図６に示すように、このメディアコンテンツを推奨する方法は以下のステップを含む。
【００５４】
ステップ６０１：ＩＰＴＶ端末が、メディアコンテンツ推奨サービスをアクティブ化するために構成インターフェースを介してそのメディアコンテンツ推奨サービス状態を設定する。
【００５５】
ステップ６０２：ユーザ・プロファイル・サービス機能（ＵＰＳＦ：Ｕｓｅｒ  Ｐｒｏｆｉｌｅ  Ｓｅｒｖｉｃｅ  Ｆｕｎｃｔｉｏｎ）またはＸＭＬ文書管理サーバ（ＸＤＭＳ：ＸＭＬ  Ｄｏｃｕｍｅｎｔ  Ｍａｎａｇｅｍｅｎｔ  Ｓｅｒｖｅｒ）がＩＰＴＶ端末のメディアコンテンツ推奨サービス状態を記憶する。
【００５６】
ステップ６０３：ＩＰＴＶ  ＡＳが、現在再生中の番組と関連するか、または関連しないメディアコンテンツ推奨イベントの検出を含む事前設定検出ポリシーに従ってメディアコンテンツ推奨トリガイベントを検出し、メディアコンテンツ推奨をトリガする。
【００５７】
ステップ６０４：ＩＰＴＶ  ＡＳがＩＰＴＶ端末のメディアコンテンツ推奨サービス状態を問い合わせる。
【００５８】
ステップ６０５：ＩＰＴＶ端末のメディアコンテンツ推奨状態がアクティブ状態であるとき、ＩＰＴＶ  ＡＳはメディアコンテンツ推奨情報を生成する。
【００５９】
ステップ６０６：ＩＰＴＶ  ＡＳがＩＰＴＶ端末にメディアコンテンツ推奨情報を送信する。
【００６０】
ステップ６０７：ＩＰＴＶ端末がメディアコンテンツ推奨情報を表示する。
【００６１】
第２の実施形態では、ＩＰＴＶ端末がメディアコンテンツ推奨サービスに加入している。メディアコンテンツ推奨装置は、ユーザによって設定された検出ポリシーに従ってメディアコンテンツ推奨トリガイベントを検出し、メディアコンテンツ推奨情報を生成し、ＩＰＴＶ端末にそのメディアコンテンツ推奨情報を送信する。ＩＰＴＶ端末はコンテンツ通知を受信し、コンテンツ推奨情報を表示する。メディアコンテンツ推奨装置はＩＰＴＶ  ＡＳ内に位置する。図７に示すように、このメディアコンテンツを推奨する方法は以下のステップを含む。
【００６２】
ステップ７０１：ＩＰＴＶ端末が、推奨サービスを提供するＩＰＴＶ  ＡＳにメディアコンテンツ推奨申込メッセージを送信する。このメッセージは、ＳＩＰ  ＳＵＢＳＣＲＩＢＥイベント申込機構を使用する。
【００６３】
ステップ７０２：ＩＰＴＶ  ＡＳがユーザのコンテンツ推奨サービス情報を問い合わせ、サービス権限を検出する。
【００６４】
ステップ７０３：ユーザがメディアコンテンツ推奨サービスの利用を申し込むと、ＩＰＴＶ  ＡＳはＩＰＴＶ端末に申込応答ＳＩＰ２００ＯＫを送信する。
【００６５】
ステップ７０４：ＩＰＴＶ  ＡＳが、ステップ７０１でＩＰＴＶ端末によって送信されたメディアコンテンツ推奨申込メッセージに従ってメディアコンテンツ推奨情報を生成する。
【００６６】
ステップ７０５：ＩＰＴＶ  ＡＳがＩＰＴＶ端末にメディアコンテンツ推奨メッセージを送信する。メディアコンテンツ推奨情報はＳＩＰ  ＮＯＴＩＦＹメッセージで搬送される。
【００６７】
ステップ７０６：ＩＰＴＶ端末がメディアコンテンツ推奨メッセージを受信し、メディアコンテンツ推奨情報を表示する。
【００６８】
第３の実施形態では、メディアコンテンツ推奨装置が、ネットワークによって事前設定された検出ポリシーに従って、現在再生中のＬＴＶ番組に関連するメディアコンテンツ推奨トリガイベントを検出する。メディアコンテンツ推奨装置がＩＰＴＶ端末にメディアコンテンツを推奨すると、メディアコンテンツ推奨装置は、現在のＬＴＶ番組に関連するメディアコンテンツ推奨オプション（コンテンツ推奨キーワード）を送信し、ＩＰＴＶ端末上にそのコンテンツ推奨オプションを表示する。ユーザはキーワードオプションを選択することができ、メディアコンテンツ推奨装置は、ＩＰＴＶ端末から応答を受け取った後でユーザの選択に従ってＩＰＴＶ端末にメディアコンテンツを推奨する。メディアコンテンツ推奨装置はＩＰＴＶ  ＡＳ内に位置する。図８に示すように、このメディアコンテンツを推奨する方法は以下のステップを含む。
【００６９】
ステップ８０１：ＬＴＶセッションが開始される。
【００７０】
ステップ８０２：ＩＰＴＶ端末が、メディアコンテンツ推奨オプション情報を搬送するマルチキャスト・メディア・ストリームを受信する。
【００７１】
ステップ８０３：ＩＰＴＶ端末が、マルチキャスト・メディア・ストリームからのメディアコンテンツ推奨オプション情報を解釈し、ユーザにメディアコンテンツ推奨オプションを表示する。
【００７２】
ステップ８０４：ユーザが所望のコンテンツ推奨オプションを選択し、ＩＰＴＶ端末が、メディアコンテンツ推奨サービスを提供するＩＰＴＶ  ＡＳにコンテンツ推奨要求メッセージを送信する。このメッセージはチャネルＩＤ、番組ＩＤ、または推奨オプション情報を搬送することができ、ＳＩＰ  ＭＥＳＳＡＧＥ／ＩＮＦＯによって送信することができる。
【００７３】
ステップ８０５：ＩＰＴＶ  ＡＳがコンテンツ・プロファイル・サービス機能（ＣＰＳＦ：Ｃｏｎｔｅｎｔ  Ｐｒｏｆｉｌｅ  Ｓｅｒｖｉｃｅ  Ｆｕｎｃｔｉｏｎ）から対応するメディアコンテンツ推奨情報を取得する。
【００７４】
ステップ８０６：ＩＰＴＶ  ＡＳがＩＰＴＶ端末にメディアコンテンツ推奨情報を送信する。メディアコンテンツ推奨情報はＳＩＰ２００ＯＫ（ＭＥＳＳＡＧＥ／ＩＮＦＯ）によって送信される。
【００７５】
ステップ８０７：ＩＰＴＶ端末がメディアコンテンツ推奨情報を表示する。
【００７６】
第４の実施形態では、メディアコンテンツ推奨装置が、ユーザによって設定された検出ポリシーに従って、現在再生中のＬＴＶ番組に関連するメディアコンテンツ推奨トリガイベントを検出し、メディアコンテンツ推奨情報を生成し、ＩＰＴＶ端末にメディアコンテンツ推奨情報を送信する。ＩＰＴＶ端末はコンテンツ通知を受信し、コンテンツ推奨情報を表示する。メディアコンテンツ推奨装置はＩＰＴＶ  ＡＳ内に位置する。図９に示すように、このメディアコンテンツを推奨する方法は以下のステップを含む。
【００７７】
ステップ９０１：ＬＴＶセッションが開始される。
【００７８】
ステップ９０２：ＩＰＴＶ端末が、ＳＩＰ  ＳＵＢＳＣＲＩＢＥメッセージによってコンテンツ推奨サービスを提供するＩＰＴＶ  ＡＳからのメディアコンテンツ推奨の利用を申し込む。ＩＰＴＶ  ＡＳは、ＩＰＴＶ端末のメディアコンテンツ推奨申込イベントを記憶し、ＩＰＴＶ端末に申込応答ＳＩＰ２００ＯＫを送信する。
【００７９】
ステップ９０３：ＩＰＴＶ  ＡＳがステップ９０２で記憶されたメディアコンテンツ推奨申込イベントに従ってメディアコンテンツ推奨トリガイベントを検出し、メディアコンテンツ推奨をトリガする。
【００８０】
ステップ９０４：ＩＰＴＶ  ＡＳがＣＰＳＦから対応するメディアコンテンツ推奨情報を取得する。
【００８１】
ステップ９０５：ＩＰＴＶ  ＡＳが事前設定メディアコンテンツ推奨ポリシーに従ってメディアコンテンツ推奨情報を生成する。
【００８２】
ステップ９０６：ＩＰＴＶ  ＡＳがＩＰＴＶ端末にメディアコンテンツ推奨情報を送信する。このメディアコンテンツ推奨情報はＳＩＰ２００ＯＫ（ＮＯＴＩＦＹ）によって送信される。
【００８３】
ステップ９０７：ＩＰＴＶ端末がメディアコンテンツ推奨情報を表示する。
【００８４】
第５の実施形態では、メディアコンテンツ推奨装置が、ユーザによって設定された検出ポリシーに従って、現在再生中のＬＴＶ番組に関連するメディアコンテンツ推奨トリガイベントを検出し、メディアコンテンツ推奨情報を生成し、ＩＰＴＶ端末にメディアコンテンツ推奨情報を送信する。ＩＰＴＶ端末はコンテンツ通知を受信し、コンテンツ推奨情報を表示する。メディアコンテンツ推奨装置のトリガイベント検出ユニットは放送メディア機能（ＢＣ−ＭＦ：Ｂｒｏａｄｃａｓｔ−Ｍｅｄｉａ  Ｆｕｎｃｔｉｏｎ）エンティティ（要素）内に位置し、メディアコンテンツ推奨装置のメディアコンテンツ推奨情報生成ユニットおよびメディアコンテンツ推奨情報送信ユニットはＩＰＴＶ  ＡＳ内に位置する。図１０に示すように、このメディアコンテンツを推奨する方法は以下のステップを含む。
【００８５】
ステップ１００１：ＬＴＶセッションが開始される。
【００８６】
ステップ１００２：ＩＰＴＶ  ＡＳがＣＰＳＦにＬＴＶ番組のメタデータを問い合わせる。
【００８７】
ステップ１００３：ＩＰＴＶ  ＡＳが、ＬＴＶサービスプロセスにおける現在再生中のコンテンツに関連するメディアコンテンツ推奨をトリガする。
【００８８】
ステップ１００４：ＩＰＴＶ  ＡＳがメディアコンテンツ推奨オプション情報を生成する。
【００８９】
ステップ１００５：ＩＰＴＶ  ＡＳがＢＣ−ＭＦにサービス推奨オプション情報配信指示を送信する。この指示メッセージはメディアコンテンツ推奨サービスオプション情報を搬送する。
【００９０】
ステップ１００６：指示を受信すると、ＢＣ−ＭＦがマルチキャスト・メディア・パスを介してＩＰＴＶ端末に番組関連のメディアコンテンツ推奨オプション情報を送信する。番組関連のメディアコンテンツ推奨オプション情報は、独立のＲＴＰストリームとして送信されるか、またはＭＰＥＧ２−ＴＳメディアストリームといったビデオストリームとしてカプセル化される。
【００９１】
ステップ１００７からステップ１０１１は第４の実施形態のステップ９０２からステップ９０７と同じであり、よってここでは説明しない。
【００９２】
第６の実施形態では、メディアコンテンツ推奨装置が、ユーザによって設定された検出ポリシーに従って、現在再生中のＬＴＶ番組に関連するメディアコンテンツ推奨トリガイベントを検出し、メディアコンテンツ推奨情報を生成し、ＩＰＴＶ端末にそのメディアコンテンツ推奨情報を送信する。ＩＰＴＶ端末はコンテンツ通知を受け取り、コンテンツ推奨情報を表示する。メディアコンテンツ推奨装置はＩＰＴＶ  ＡＳ内に位置する。ＢＣ−ＭＦは、ＩＰＴＶ端末にメディアコンテンツ推奨情報を送信する。図１１に示すように、このメディアコンテンツを推奨する方法は以下のステップを含む。
【００９３】
ステップ１１０１：ＬＴＶセッションが開始される。
【００９４】
ステップ１１０２：ＩＰＴＶ  ＡＳがＣＰＳＦにＬＴＶ番組のメタデータを問い合わせる。
【００９５】
ステップ１１０３：ＩＰＴＶ  ＡＳが、事前設定検出ポリシーに従って、現在再生中のコンテンツに関連するメディアコンテンツ推奨トリガイベントを検出し、ＬＴＶサービスプロセスにおけるメディアコンテンツ推奨をトリガする。
【００９６】
ステップ１１０４：ＩＰＴＶ  ＡＳがメディアコンテンツ推奨情報を生成する。
【００９７】
ステップ１１０５：ＩＰＴＶ  ＡＳがＢＣ−ＭＦにサービス推奨情報配信指示を送信する。この指示メッセージはメディアコンテンツ推奨サービス情報を搬送する。
【００９８】
ステップ１１０６：指示を受信すると、ＢＣ−ＭＦがマルチキャスト・メディア・パスを介してＩＰＴＶ端末に番組関連のメディアコンテンツ推奨情報を送信する。番組関連のメディアコンテンツ推奨情報は、独立のＲＴＰストリームとして送信されるか、またはＭＰＥＧ２−ＴＳメディアストリームといったビデオストリームとしてカプセル化される。
【００９９】
ステップ１１０７：ＩＰＴＶ端末がメディアコンテンツ推奨情報を表示する。
【０１００】
第７の実施形態では、メディアコンテンツ推奨装置が、ユーザによって設定された検出ポリシーに従って、現在再生中のＣＯＤ番組に関連するメディアコンテンツ推奨トリガイベントを検出し、メディアコンテンツ推奨情報を生成し、ＩＰＴＶ端末にメディアコンテンツ推奨情報を送信する。ＩＰＴＶ端末はコンテンツ通知を受信し、コンテンツ推奨情報を表示する。メディアコンテンツ推奨装置はＩＰＴＶ  ＡＳ内に位置する。図１２に示すように、このメディアコンテンツを推奨する方法は以下のステップを含む。
【０１０１】
ステップ１２０１：ＣＯＤセッションが開始される。
【０１０２】
ステップ１２０２：ＩＰＴＶ  ＡＳがＣＰＳＦにＣＯＤ番組のメタデータを問い合わせる。このメタデータは、トリガ時機および関連する推奨メディアコンテンツを含むメディアコンテンツ関連のトリガイベント情報を含む。トリガ時機は、番組全体または番組の特定のビデオ場面、ビデオショット、ビデオフレームもしくはビデオオブジェクトである。
【０１０３】
ステップ１２０３：ＩＰＴＶ  ＡＳがメディア再生状況を感知し、事前設定検出ポリシーに従ってトリガイベントを検出する。
【０１０４】
ステップ１２０４：ＩＰＴＶ  ＡＳがトリガイベントを検出し、メディアコンテンツ推奨を開始する。
【０１０５】
ステップ１２０５：ＩＰＴＶ  ＡＳがメディアコンテンツ推奨情報またはメディアコンテンツ推奨オプション情報を生成する。
【０１０６】
ステップ１２０６：ＩＰＴＶ  ＡＳがＩＰＴＶ端末にメディアコンテンツ推奨情報を送信する。このメディアコンテンツ推奨情報は、ＳＩＰ  ＭＥＳＳＡＧＥ／ＩＮＦＯ／ＮＯＴＩＦＹで搬送することができる。
【０１０７】
ステップ１２０７：ＩＰＴＶ端末がメディアコンテンツ推奨情報を表示する。
【０１０８】
第８の実施形態では、メディアコンテンツ推奨装置が、ユーザによって設定された検出ポリシーに従って、現在再生中のＣＯＤ番組に関連するメディアコンテンツ推奨トリガイベントを検出し、メディアコンテンツ推奨情報を生成し、ＩＰＴＶ端末にメディアコンテンツ推奨情報を送信する。ＩＰＴＶ端末は、コンテンツ通知を受け取り、コンテンツ推奨情報を表示する。メディアコンテンツ推奨装置はＩＰＴＶ  ＭＦ内に位置する。図１３に示すように、このメディアコンテンツを推奨する方法は以下のステップを含む。
【０１０９】
ステップ１３０１：ＣＯＤセッションが開始される。
【０１１０】
ステップ１３０２：ＩＰＴＶ  ＭＦがＣＰＳＦにＣＯＤ番組のメタデータを問い合わせる。このメタデータは、トリガ時機および関連する推奨コンテンツを含むメディアコンテンツ関連のトリガイベントを含む。トリガ時機は、番組全体または番組の特定のビデオ場面、ビデオショット、ビデオフレームもしくはビデオオブジェクトである。
【０１１１】
ステップ１３０３：ＩＰＴＶ  ＭＦがメディア再生状況を感知し、事前設定検出ポリシーに従ってトリガイベントを検出する。
【０１１２】
ステップ１３０４：ＩＰＴＶ  ＭＦがトリガイベントを検出し、メディアコンテンツ推奨を開始する。
【０１１３】
ステップ１３０５：ＩＰＴＶ  ＭＦがメディアコンテンツ推奨情報またはメディアコンテンツ推奨オプション情報を生成する。
【０１１４】
ステップ１３０６：ＩＰＴＶ  ＭＦが、ＳＩＰ  ＭＥＳＳＡＧＥ／ＩＮＦＯまたはＲＴＳＰ  ＡｎｎｏｕｎｃｅといったＲＴＳＰメッセージによってＩＰＴＶ端末にメディアコンテンツ推奨情報を送信する。
【０１１５】
ステップ１３０７：ＩＰＴＶ端末がメディアコンテンツ推奨情報を表示する。
【０１１６】
第９の実施形態では、メディアコンテンツ推奨装置が、事前設定検出ポリシーに従ってメディアコンテンツ推奨トリガイベントを検出し、メディアコンテンツ推奨情報を生成する。ＩＰＴＶ端末がオフラインである場合、メディアコンテンツ推奨装置は、ＩＰＴＶ端末と関連付けられたユーザ端末に生成されたメディアコンテンツ推奨情報を送信する。この実施形態では、関連付けられたユーザ端末はＩＭＳ端末であり、メディアコンテンツ推奨装置はＩＰＴＶ  ＡＳ内に位置する。図１４に示すように、このメディアコンテンツを推奨する方法は以下のステップを含む。
【０１１７】
ステップ１４０１：ユーザが、ＩＭＳ公開ユーザ識別情報（ＩＭＰＵ：ＩＭＳ  Ｐｕｂｌｉｃ  Ｕｓｅｒ  Ｉｄｅｎｔｉｔｙ）といったメディアコンテンツ推奨サービスと関連付けられたＩＭＳ端末の識別子を設定する。
【０１１８】
ステップ１４０２：メディアコンテンツ推奨サービスのパラメータ設定要求を受信すると、ＩＰＴＶ  ＡＳは、メディアコンテンツ推奨サービスと関連付けられたＩＭＳ端末識別子をＵＰＳＦまたはＸＤＭＳに記憶する。
【０１１９】
ステップ１４０３：ＩＭＳ端末がプレゼンスサーバ（ＰＳ：Ｐｒｅｓｅｎｃｅ  Ｓｅｒｖｅｒ）に、ＩＭＳ端末がオンラインであるというユーザ端末状態を報告する。
【０１２０】
ステップ１４０４：ＩＰＴＶ端末がＰＳに、ＩＰＴＶ端末がオフラインであるというユーザ端末状態を報告する。
【０１２１】
ステップ１４０５：ＩＰＴＶ  ＡＳが、事前設定検出ポリシーに従ってメディアコンテンツ推奨イベントを検出し、メディアコンテンツ推奨を開始する。
【０１２２】
ステップ１４０６：ＩＰＴＶ  ＡＳが、ＩＰＴＶ端末の状態およびＩＰＴＶ端末と関連付けられたＩＭＳ端末の状態を問い合わせる。
【０１２３】
ステップ１４０７：ＩＰＴＶ  ＡＳが、ＩＰＴＶ端末がオフラインであり、関連付けられたＩＭＳ端末がオンラインであることを検出し、メディアコンテンツ推奨情報を生成する。
【０１２４】
ステップ１４０８：ＩＰＴＶ  ＡＳが、ＳＩＰ  ＭＥＳＳＡＧＥによってＩＭＳ端末にメディアコンテンツ推奨情報を送信する。
【０１２５】
ステップ１４０９：ＩＭＳ端末が、メディアコンテンツ推奨情報を搬送するＳＩＰ  ＭＥＳＳＡＧＥを受信し、そのメディアコンテンツ推奨情報を表示する。
【０１２６】
メディアコンテンツ推奨トリガイベントが検出されると、本発明の実施形態で提供されるメディアコンテンツを推奨する方法、装置およびシステムは、メディアコンテンツ推奨情報の生成が多様なものになるように多数の形式を含む事前設定メディアコンテンツ推奨ポリシーに従ってメディアコンテンツ推奨情報を生成することができる。これによって、メディアコンテンツ推奨情報がユーザの選択だけに従ってユーザに送られ、このためにメディアコンテンツ推奨の形式がただ１つだけになり、したがってＩＰＴＶの柔軟なサービス推奨の要件を満足することができないという従来技術の問題が解決される。従来技術では、ユーザは、ＥＰＧメニューの選択によってネットワークから推奨メディアコンテンツを取得しなければならず、そのためユーザ操作が複雑になる。しかし、本発明の実施形態では、メディアコンテンツ推奨情報は、事前設定メディアコンテンツ推奨ポリシーに従って生成される。したがって、メディアコンテンツ推奨の形式はより多様化され、ユーザは推奨メディアコンテンツをより簡単に取得することができる。したがって本発明の実施形態で提供される方法、装置、およびシステムは、ＩＰＴＶの柔軟なサービス推奨の要件を満足する。
【０１２７】
本発明の実施形態で提供されるメディアコンテンツを推奨する方法、装置およびシステムは、ＩＰＴＶ端末にメディアコンテンツ推奨サービスを提供するＩＰＴＶネットワークに適用することができる。
【０１２８】
本発明の実施形態による方法の各ステップの全部または一部が関連ハードウェアに命令を与えるプログラムによっても実施され得ることを、当業者は理解することができる。このプログラムは、読取り専用メモリ（ＲＯＭ）、ランダム・アクセス・メモリ（ＲＡＭ）、磁気ディスク、コンパクトディスク読取り専用メモリ（ＣＤ−ＲＯＭ）といったコンピュータ可読記憶媒体に記憶させることができる。
【０１２９】
以上の説明は単に本発明の例示的実施形態であるにすぎず、本発明の範囲を限定するためのものではない。本発明の趣旨および原則から逸脱せずに行われるあらゆる変更、等価置換、または改善が本発明の範囲内に含まれるべきである。したがって、本発明の保護範囲は添付の特許請求の範囲に従うものである。
【図１】
2011525757.tif 000003
【図２】
2011525757.tif 000004
【図３】
2011525757.tif 000005
【図４】
2011525757.tif 000006
【図５】
2011525757.tif 000007
【図６】
2011525757.tif 000008
【図７】
2011525757.tif 000009
【図８】
2011525757.tif 000010
【図９】
2011525757.tif 000011
【図１０】
2011525757.tif 000012
【図１１】
2011525757.tif 000013
【図１２】
2011525757.tif 000014
【図１３】
2011525757.tif 000015
【図１４】
2011525757.tif 000016
【手続補正書】
【提出日】平成22年12月24日(2010.12.24)
【手続補正１】
【補正対象書類名】明細書
【補正対象項目名】０００１
【補正方法】変更
【補正の内容】
【０００１】
本発明は通信技術に関し、詳細には、ユーザ端末にメディアコンテンツを推奨するインターネット・プロトコル・テレビ（ＩＰＴＶ：Ｉｎｔｅｒｎｅｔ  Ｐｒｏｔｏｃｏｌ  Ｔｅｌｅｖｉｓｉｏｎ）のための方法、装置、およびシステムに関する。
【手続補正２】
【補正対象書類名】明細書
【補正対象項目名】０００４
【補正方法】変更
【補正の内容】
【０００４】
従来技術においては少なくとも、ユーザがＥＰＧメニューを選択することによってしかメディアコンテンツ推奨情報を得ることができず、また推奨メディアコンテンツを取得する方法がただ１つであることは、ＩＰＴＶシステムの柔軟なサービス推奨の要件を満足しない、という問題があった。
【手続補正３】
【補正対象書類名】特許請求の範囲
【補正対象項目名】全文
【補正方法】変更
【補正の内容】
【特許請求の範囲】
【請求項１】
メディアコンテンツを推奨する方法であって、
メディアコンテンツ推奨トリガイベントを検出し、
メディアコンテンツ推奨トリガイベントが検出されると、事前設定メディアコンテンツ推奨ポリシーに従ってメディアコンテンツ推奨情報を生成し、
ユーザ端末に前記生成されたメディアコンテンツ推奨情報を送信すること、
を含む方法。
【請求項２】
前記メディアコンテンツ推奨トリガイベントを検出することは、
前記ユーザ端末によって送られたメディアコンテンツ推奨情報要求を取得し、
前記メディアコンテンツ推奨情報要求に従ってメディアコンテンツ推奨トリガイベントを検出すること、
を含む請求項１に記載の方法。
【請求項３】
前記メディアコンテンツ推奨トリガイベントを検出することは、事前設定検出ポリシーに従ってメディアコンテンツ推奨トリガイベントを検出することを含む請求項１に記載の方法。
【請求項４】
前記検出ポリシーは前記ユーザ端末またはネットワークによって設定される、請求項３に記載の方法。
【請求項５】
前記検出ポリシーが前記ユーザ端末によって設定されるとき、前記検出ポリシーを設定する前記ステップは、
前記ユーザ端末によって送られたメディアコンテンツ推奨情報の利用を申し込むよう求める要求を受信し、
前記メディアコンテンツ推奨情報申込に従って前記検出ポリシーを設定すること、
を含む請求項４に記載の方法。
【請求項６】
前記メディアコンテンツ推奨情報要求またはメディアコンテンツ推奨申込は、
メディアコンテンツの種類、メディアコンテンツ記述特徴、メディアコンテンツ識別子、およびメディアコンテンツ偏差、
の各項目のうちの１以上を含む請求項２または５に記載の方法。
【請求項７】
前記メディアコンテンツ推奨トリガイベントは、
ユーザによって要求され、または利用を申し込まれたメディア・コンテンツ・トリガ・イベント、新番組オンラインイベント、現在再生中の番組、ビデオ場面、ビデオフレーム、またはビデオオブジェクトに関連するメディア・コンテンツ・トリガ・イベント、
の各イベントうちの１以上を含む請求項１に記載の方法。
【請求項８】
前記メディアコンテンツ推奨ポリシーは、
一般的メディアコンテンツ推奨ポリシー、パーソナルメディアコンテンツ推奨ポリシー、および番組関連のメディアコンテンツ推奨ポリシー、
の各ポリシーのうちの１以上を含む請求項１に記載の方法。
【請求項９】
前記メディアコンテンツ推奨情報は、
メディアコンテンツ識別子、メディアコンテンツ記述特徴、メディアコンテンツのアクセス制御情報、および前記メディアコンテンツの制御論理情報、
の各項目のうちの１以上を含む請求項１に記載の方法。
【請求項１０】
前記ユーザ端末に前記生成されたメディアコンテンツ推奨情報を送信することは、
前記ユーザ端末の状態情報を取得し、
前記ユーザ端末がオンラインであるときに、前記ユーザ端末に前記生成されたメディアコンテンツ推奨情報を送信するか、または
前記ユーザ端末がオフラインであるときに、前記ユーザ端末と関連付けられた事前設定ユーザ端末に前記生成されたメディアコンテンツ推奨情報を送信すること、
を含む請求項１に記載の方法。
【請求項１１】
メディアコンテンツ推奨トリガイベントを検出する前に、
前記ユーザ端末のメディアコンテンツ推奨サービス状態情報を取得すること
をさらに含み、
前記メディアコンテンツ推奨トリガイベントを検出することは、
前記ユーザ端末の前記メディアコンテンツ推奨サービスがアクティブ化されているときに、メディアコンテンツ推奨トリガイベントを検出すること、
を含む請求項１に記載の方法。
【請求項１２】
メディアコンテンツを推奨する装置であって、
メディアコンテンツ推奨トリガイベントを検出するように構成されたトリガイベント検出ユニットと、
前記トリガイベント検出ユニットがメディアコンテンツ推奨トリガイベントを検出すると、事前設定メディアコンテンツ推奨ポリシーに従ってメディアコンテンツ推奨情報を生成するように構成されたメディアコンテンツ推奨情報生成ユニットと、
ユーザ端末に前記メディアコンテンツ推奨情報生成ユニットによって生成された前記メディアコンテンツ推奨情報を送信するように構成されたメディアコンテンツ推奨情報送信ユニットと、
を備える装置。
【請求項１３】
前記トリガイベント検出ユニットは、
前記ユーザ端末によって送信されたメディアコンテンツ推奨情報要求を取得するように構成されたメディアコンテンツ推奨情報要求取得ユニットと、
前記メディアコンテンツ推奨情報要求取得ユニットによって取得された前記メディアコンテンツ推奨情報要求に従ってメディアコンテンツ推奨トリガイベントを検出するように構成された検出ユニットと、
を備える請求項１２に記載の装置。
【請求項１４】
前記トリガイベント検出ユニットは、
検出ポリシーを記憶するように構成された検出ポリシー記憶ユニットと、
前記検出ポリシー記憶ユニットによって記憶された前記検出ポリシーに従ってメディアコンテンツ推奨トリガイベントを検出するように構成された検出ユニットと、
を備える請求項１２に記載の装置。
【請求項１５】
前記メディアコンテンツ推奨情報送信ユニットは、
前記ユーザ端末の状態情報を取得するように構成されたユーザ端末状態取得ユニットと、
前記ユーザ端末状態取得ユニットによって取得された前記ユーザ端末状態がオンラインであるときに、前記ユーザ端末に前記メディアコンテンツ推奨情報生成ユニットによって生成された前記メディアコンテンツ推奨情報を送信するか、または前記ユーザ端末状態取得ユニットによって取得された前記ユーザ端末状態がオフラインであるときに、前記ユーザ端末と関連付けられた事前設定ユーザ端末に前記メディアコンテンツ推奨情報生成ユニットによって生成された前記メディアコンテンツ推奨情報を送信するように構成された送信ユニットと、
を備える請求項１２に記載の装置。
【請求項１６】
メディアコンテンツ推奨サービス状態取得ユニットをさらに備え、
前記メディアコンテンツ推奨サービス状態取得ユニットは、前記ユーザ端末のメディアコンテンツ推奨サービス状態情報を取得するように構成されており、
前記トリガイベント検出ユニットはさらに、前記メディアコンテンツ推奨サービス状態取得ユニットによって取得された前記ユーザ端末の前記メディアコンテンツ推奨サービス状態がアクティブ状態であるときに、メディアコンテンツ推奨トリガイベントを検出するように構成されている、
請求項１２に記載の装置。
【請求項１７】
メディアコンテンツを推奨するシステムであって、
メディアコンテンツ推奨トリガイベントを検出すると、事前設定メディアコンテンツ推奨ポリシーに従ってメディアコンテンツ推奨情報を生成し、前記メディアコンテンツ推奨情報を送信するように構成されたメディアコンテンツ推奨装置と、
前記メディアコンテンツ推奨装置によって送られた前記メディアコンテンツ推奨情報を受信し、表示するように構成されたユーザ端末と、
を備えるシステム。
【国際調査報告】
2011525757.tif 000017
2011525757.tif 000018
2011525757.tif 000019
2011525757.tif 000020
2011525757.tif 000021
2011525757.tif 000022